(57)【要約】  反射防止フィルム（１０１）は、透明フィルム基材（１０）の一主面上にハードコート層（１１）を備えるハードコートフィルム（１）のハードコート層（１１）上に、順に設けられた反射防止層（５）および防汚層（７）を備える。ハードコート層は、バインダーおよび粒子径が１〜８μｍの微粒子を含む。反射防止層は、屈折率の異なる複数の薄膜の積層体からなる。反射防止フィルムのヘイズは１〜１８％であり、防汚層表面の算術平均粗さＲａが０．０５〜０．２５μｍであり、凹凸の平均間隔ＲＳｍが６０〜２００μｍである。
2021106797.tif 000002
【特許請求の範囲】
【請求項１】
透明フィルム基材の一主面上にハードコート層を備えるハードコートフィルムと、
前記ハードコート層上に、順に設けられた反射防止層および防汚層とを備え、
前記反射防止層は、屈折率の異なる複数の薄膜の積層体からなり、
前記ハードコート層は、バインダーおよび粒子径が１〜８μｍの微粒子を含み、
ヘイズが１〜１８％であり、
前記防汚層表面の算術平均粗さＲａが０．０５〜０．２５μｍであり、凹凸の平均間隔ＲＳｍが６０〜２００μｍである、反射防止フィルム。
【請求項２】
前記ハードコート層中の前記微粒子の量が、前記バインダー１００重量部に対して、０．５〜１０重量部である、請求項１に記載の反射防止フィルム。
【請求項３】
前記バインダーの屈折率と、前記微粒子の屈折率との差が、０．０１〜０．０６である、請求項１または２に記載の反射防止フィルム。
【請求項４】
前記ハードコート層は、さらに平均一次粒子径が１００ｎｍ以下のナノ粒子を含む、請求項１〜３のいずれか１項に記載の反射防止フィルム。
【請求項５】
前記反射防止層がスパッタ膜である、請求項１〜４のいずれか１項に記載の反射防止フィルム。
【請求項６】
前記ハードコート層と前記反射防止層との間に、無機酸化物からなるプライマー層を備える、請求項１〜５のいずれか１項に記載の反射防止フィルム。
【請求項７】
画像表示媒体の視認側表面に、請求項１〜６のいずれか１項に記載の反射防止フィルムが配置されている、画像表示装置。
【請求項８】
画像表示媒体の視認側表面に、１ｍｍ以上の間隔を隔てて前記反射防止フィルムが配置されている、請求項７に記載の画像表示装置。
【発明の詳細な説明】
【技術分野】
【０００１】
本発明は、透明フィルム基材上に反射防止層および防汚層を備える反射防止フィルムに関する。さらに、本発明は当該反射防止フィルムを備える画像表示装置に関する。
【背景技術】
【０００２】
液晶ディスプレイや有機ＥＬディスプレイ等の画像表示装置の視認側表面には、外光の反射による画質低下の防止、コントラスト向上等を目的として、反射防止フィルムが使用されている。反射防止フィルムは、透明フィルム上に、屈折率の異なる複数の薄膜の積層体からなる反射防止層を備える。反射防止フィルムは画像表示装置の最表面に配置され、外部から接触可能な状態で使用されるため、指紋、手垢、埃等による汚染の影響を受けやすい。そのため、外部環境からの汚染防止や、付着した汚染物質の除去を容易とする目的で、反射防止層の表面に防汚層が設けられている（例えば特許文献１）。【０００３】
外光の映り込みによるコントラスト低下を防止するために、防眩（アンチグレア）処理を施す手法がある。例えば、特許文献２では、透明フィルム上に微粒子を含むハードコート層を形成した防眩性ハードコートフィルム上に、反射防止層を設けた防眩性反射防止フィルムが提案されている。
【先行技術文献】
【特許文献】
【０００４】
【特許文献１】特開２０１５−６９００８号公報
【特許文献２】特開２００８−９０２６３号公報
【発明の概要】
【発明が解決しようとする課題】
【０００５】
防眩性コーティングは、表面凹凸により外光を散乱反射させることにより、外光の映り込みを低減している。一方で、防眩性コーティングの表面凹凸は、表示パネルからの光（映像光）を屈折させるレンズ作用を有するため、表示装置の局所的な輝度のバラツキが強調され、画面がギラついて視認される場合がある。特に、画像の鮮明度（クリア感）を高めるために、防眩性コーティングのヘイズを低くすると、ギラツキが視認されやすくなる傾向がある。また、近年では、画像表示装置の高精細化が進み、画素サイズが小さくなっている。さらには、画像表示パネル上に、透明粘着シートを介してタッチパネルやカバーウインドウを配置した構成では、画像表示装置の表面に配置される防眩性コーティングと画像表示パネルとの間のギャップが大きく、１ｍｍを超えることがある。【０００６】
高精細化、広ギャップ化等の画像表示装置の構成の変更に伴って、防眩性コーティングの凹凸によるギラツキがより視認されやすくなる傾向があり、従来の防眩性コーティングでは、十分な視認性を得ることが困難となっている。また、表面に防汚層を備える反射防止フィルムは、使用に伴って防汚層が摩耗して、防汚性が低下するとの問題がある。【０００７】
上記に鑑み、本発明は、高い防眩性を発揮するとともに、広ギャップ構成の画像表示装置においてもギラツキ不良が生じ難く、防汚層の耐摩耗性に優れる反射防止フィルムの提供を目的とする。
【課題を解決するための手段】
【０００８】
本発明の反射防止フィルムは、透明フィルム基材の一主面上にハードコート層を備えるハードコートフィルムのハードコート層上に、順に設けられた反射防止層および防汚層を備える。ハードコート層は、バインダーおよび粒子径が１〜８μｍの微粒子を含む。反射防止層は、屈折率の異なる複数の薄膜の積層体からなる。反射防止層を構成する薄膜は、好ましくは無機酸化物である。反射防止層はスパッタにより形成されたスパッタ膜であってもよい。ハードコート層と反射防止層との間には酸化シリコン等の無機酸化物からなるプライマー層が設けられていてもよい。【０００９】
反射防止フィルムのヘイズは好ましくは１〜１８％であり、４〜１８％であってもよい。反射防止フィルムの表面（防汚層の表面）の算術平均粗さＲａは０．０５〜０．２５μｍが好ましく、凹凸の平均間隔ＲＳｍは６０〜２００μｍが好ましい。【００１０】
ハードコート層は、粒子径が１〜８μｍの微粒子に加えて、平均一次粒子径が１００ｎｍ以下のナノ粒子を含んでいてもよい。ハードコート層中の粒子径が１〜８μｍの微粒子（マイクロ粒子）の量は、バインダー１００重量部に対して、３〜１０重量部が好ましい。バインダーの屈折率と、マイクロ粒子の屈折率との差は、０．０１〜０．０６が好ましい。
【発明の効果】
【００１１】
画像表示媒体の視認側表面に本発明の反射防止フィルムを配置した画像表示装置は、優れた防眩性を示すとともに表示画像のギラツキ不良が生じ難く、視認性に優れている。また、本発明の反射防止フィルムは、防汚層の耐摩耗性に優れており、長期使用後にも高い防汚性および汚れ除去性を示す。
【図面の簡単な説明】
【００１２】
【図１】反射防止フィルムの積層構成例を示す断面図である。
【図２】反射防止フィルムを備える画像表示装置の構成例を示す断面図である。
【発明を実施するための形態】
【００１３】
図１は、本発明の一実施形態の反射防止フィルムの積層構成例を示す断面図である。反射防止フィルム１０１は、ハードコートフィルム１のハードコート層１１上に、反射防止層５を備え、反射防止層５上に防汚層７を備える。ハードコートフィルム１は、透明フィルム基材１０の一主面上にハードコート層１１を備える。反射防止層５は、屈折率の異なる２層以上の無機薄膜の積層体である。ハードコート層１１と反射防止層５との間には、プライマー層３が設けられていてもよい。
【００１４】
［ハードコートフィルム］
ハードコートフィルム１は、透明フィルム基材１０の一主面上に、ハードコート層１１を備える。反射防止層５形成面側にハードコート層１１が設けられることにより、反射防止フィルムの表面硬度や耐擦傷傷等の機械特性を向上できる。
【００１５】
＜透明フィルム基材＞
透明フィルム基材１０の可視光透過率は、好ましくは８０％以上、より好ましくは９０％以上である。透明フィルム基材１０を構成する樹脂材料としては、例えば、透明性、機械強度、および熱安定性に優れる樹脂材料が好ましい。樹脂材料の具体例としては、トリアセチルセルロース等のセルロース系樹脂、ポリエステル系樹脂、ポリエーテルスルホン系樹脂、ポリスルホン系樹脂、ポリカーボネート系樹脂、ポリアミド系樹脂、ポリイミド系樹脂、ポリオレフィン系樹脂、（メタ）アクリル系樹脂、環状ポリオレフィン系樹脂（ノルボルネン系樹脂）、ポリアリレート系樹脂、ポリスチレン系樹脂、ポリビニルアルコール系樹脂、およびこれらの混合物が挙げられる。
【００１６】
透明フィルム基材の厚みは特に限定されないが、強度や取扱性等の作業性、薄層性等の観点から、５〜３００μｍ程度が好ましく、１０〜２５０μｍがより好ましく、２０〜２００μｍがさらに好ましい。
【００１７】
＜ハードコート層＞
透明フィルム基材１０の主面上にハードコート層１１を設けることによりハードコートフィルム１が形成される。ハードコート層１１は、バインダーおよび微粒子を含む防眩性ハードコート層であり、微粒子により形成された表面凹凸により防眩性を発揮する。
【００１８】
（バインダー）
ハードコート層１１のバインダーとしては、熱硬化性樹脂、光硬化性樹脂、電子線硬化性樹脂等の硬化性樹脂が好ましく用いられる。硬化性樹脂の種類としてはポリエステル系、アクリル系、ウレタン系、アクリルウレタン系、アミド系、シリコーン系、シリケート系、エポキシ系、メラミン系、オキセタン系、アクリルウレタン系等が挙げられる。これらの中でも、硬度が高く、光硬化が可能であることから、アクリル系樹脂、アクリルウレタン系樹脂、およびエポキシ系樹脂が好ましく、中でもアクリル系樹脂およびアクリルウレタン系樹脂が好ましい。後述のように、バインダーは、樹脂成分（有機成分）に加えて、無機ナノ粒子等の無機成分を含んでいてもよい。
【００１９】
バインダーの屈折率は、一般に１．４〜１．６程度である。後に詳述するように、ハードコート層のヘイズを小さくする観点から、バインダーは、微粒子との屈折率差が小さいことが好ましい。
【００２０】
光硬化性のバインダー樹脂成分は、２個以上の光重合性（好ましくは紫外線重合性）の官能基を有する多官能化合物を含む。多官能化合物はモノマーでもオリゴマーでもよい。光重合性の多官能化合物としては、１分子中に２個以上の（メタ）アクリロイル基を含む化合物が好ましく用いられる。
【００２１】
１分子中に２個以上の（メタ）アクリロイル基を有する多官能化合物の具体例としては、トリシクロデカンジメタノールジアクリレート、ペンタエリスリトールジ（メタ）アクリレート、ペンタエリスリトールトリ（メタ）アクリレート、トリメチロールプロパントリアクリレート、ペンタエリスリトールテトラ（メタ）アクリレート、ジメチロールプロパントテトラアクリレート、ジペンタエリスリトールヘキサ（メタ）アクリレート、１，６−ヘキサンジオール（メタ）アクリレート、１，９−ノナンジオールジアクリレート、１,１０−デカンジオール（メタ）アクリレート、ポリエチレングリコールジ（メタ）アクリレート、ポリプロピレングリコールジ（メタ）アクリレート、ジプロピレングリコールジアクリレート、イソシアヌル酸トリ（メタ）アクリレート、エトキシ化グリセリントリアクリレート、エトキシ化ペンタエリスリトールテトラアクリレートおよびこれらのオリゴマーまたはプレポリマー等が挙げられる。なお、本明細書において、「（メタ）アクリル」とはアクリルおよび／またはメタクリルを意味する。
【００２２】
１分子中に２個以上の（メタ）アクリロイル基を有する多官能化合物は、水酸基を有していてもよい。バインダー樹脂成分として、水酸基を含む多官能化合物を用いることにより、透明基材とハードコート層との密着性が向上する傾向がある。１分子中に水酸基および２個以上の（メタ）アクリロイル基を有する化合物としては、ペンタエリスリトールトリ（メタ）アクリレート、ジペンタエリスリトールペンタ（メタ）アクリレート等が挙げられる。
【００２３】
アクリルウレタン樹脂は、多官能化合物として、ウレタン（メタ）アクリレートのモノマーまたはオリゴマーを含む。ウレタン（メタ）アクリレートが有する（メタ）アクリロイル基の数は、３以上が好ましく、４〜１５がより好ましく、６〜１２がさらに好ましい。ウレタン（メタ）アクリレートオリゴマーの分子量は、例えば３０００以下であり、５００〜２５００が好ましく、８００〜２０００がより好ましい。ウレタン（メタ）アクリレートは、例えば、（メタ）アクリル酸または（メタ）アクリル酸エステルとポリオールとから得られるヒドロキシ（メタ）アクリレートを、ジイソシアネートと反応させることにより得られる。
【００２４】
ハードコート組成物中の多官能化合物の含有量は、バインダー樹脂成分（硬化によりバインダー樹脂を形成するモノマー、オリゴマーおよびプレポリマー）の合計１００重量部に対して、５０重量部以上が好ましく、６０重量部以上がより好ましく、７０重量部以上がさらに好ましい。多官能モノマーの含有量が上記範囲であれば、ハードコート層の硬度が高められる傾向がある。
【００２５】
バインダー樹脂成分は、単官能モノマーをさらに含んでいてもよい。単官能モノマーの含有量は、バインダー樹脂成分１００重量部に対して５０重量部以下が好ましく、４０重量部以下がより好ましく、３０重量部以下がさらに好ましい。
【００２６】
（マイクロ粒子）
ハードコート層に粒子径が１μｍ以上の微粒子（以下「マイクロ粒子」と記載）が含まれることにより、ハードコート層の表面に凹凸が形成され、防眩性が付与される。また、マイクロ粒子は、ハードコート層のヘイズの制御にも寄与する。
【００２７】
マイクロ粒子としては、シリカ、アルミナ、チタニア、ジルコニア、酸化カルシウム、酸化錫、酸化インジウム、酸化カドミウム、酸化アンチモン等の各種金属酸化物微粒子、ガラス微粒子、ポリメチルメタクリレート、ポリスチレン、ポリウレタン、アクリル−スチレン共重合体、ベンゾグアナミン、メラミン、ポリカーボネート等の各種透明ポリマーからなる架橋又は未架橋の有機系微粒子、シリコーン系微粒子等の透明性を有するものを特に制限なく使用できる。これら微粒子は、１種または２種以上を適宜に選択して用いることができる。
【００２８】
マイクロ粒子は、ハードコート層のバインダー樹脂との屈折率差が小さいことが好ましい。バインダーとマイクロ粒子との屈折率差を小さくすることにより、バインダーとマイクロ粒子との界面での光散乱が低減し、ヘイズが小さくなるため、クリア感の高い表示が可能となる。一方、ハードコート層のヘイズが過度に小さい場合は、防眩性が不充分となる場合がある。ハードコート層に適度のヘイズを持たせつつ、ギラツキを低減る観点から、バインダーとマイクロ粒子との屈折率差は、０．０１〜０．０６程度が好ましく、０．０２〜０．０５がより好ましい。
【００２９】
マイクロ粒子の粒子径は１０μｍ以下が好ましい。ハードコート層に含まれるマイクロ粒子（粒子径が１μｍ以上の粒子）の平均粒子径は、１〜８μｍが好ましく、２〜５μｍがより好ましい。マイクロ粒子の粒子径が小さい場合は、防眩性が不足する傾向がある。マイクロ粒子の粒子径が大きい場合は、画像の鮮明度が低下する傾向があり、特に画素サイズが小さい高精細ディスプレイにおいてその傾向が顕著である。ハードコート層に２種以上のマイクロ粒子が含まれる場合は、マイクロ粒子全体の平均粒子径が上記範囲内であることが好ましい。平均粒子径は、コールターカウント法により測定される重量平均粒子径である。
【００３０】
マイクロ粒子の形状は特に制限されないが、ギラツキ低減の観点からはアスペクト比が１．５以下の球状粒子が好ましい。球状粒子のアスペクト比は、好ましくは１．３以下、より好ましくは１．１以下である。
【００３１】
ハードコート層におけるマイクロ粒子の含有量は特に制限されない。ハードコート層の表面に均一に凹凸を形成する観点から、マイクロ粒子の含有量は、バインダー１００重量部に対して、０．５重量部以上が好ましく、０．８重量部以上がより好ましく、１．０重量部以上がさらに好ましく、１．５重量部以上、２．０重量部以上または２．５重量部以上であってもよい。マイクロ粒子の含有量は、バインダー１００重量部に対して、１２重量部以下が好ましく、１１重量部以下であってもよい。マイクロ粒子の含有量が小さい場合は、ハードコート層表面の凹凸の平均間隔（粗さ曲線要素の平均長さ）ＲＳｍが大きく、ギラツキ不良が生じやすい。一方、マイクロ粒子の含有量が大きい場合は、ヘイズが上昇し、画像の鮮明度が低下する傾向がある。ハードコート層におけるマイクロ粒子の含有量は、３〜１０重量部、または３．５〜８重量部であってもよい。
【００３２】
（ナノ粒子）
ハードコート層は、粒子径が１μｍ以上のマイクロ粒子に加えて、粒子径が１μｍ未満の微粒子（以下「ナノ粒子」と記載する場合がある）を含んでいてもよい。例えば、ハードコート層が、１０ｎｍ〜１００ｎｍ程度の平均一次粒子径を有するナノ粒子を含むことにより、ハードコート層６の表面に、マイクロ粒子により形成される凹凸よりも小さなサイズの微細な凹凸が形成され、ハードコート層１１と、その上に形成される反射防止層５との密着性が向上する傾向がある。また、可視光の波長よりも十分に小さいサイズ（例えば１００ｎｍ以下）の粒子径を有するナノ粒子を含めることにより、ハードコート層の透明性を低下させることなく、バインダーの屈折率を調整できる。
【００３３】
バインダー中での分散性を高める観点から、ナノ粒子の平均一次粒子径は１５ｎｍ以上が好ましく、２０ｎｍ以上がより好ましい。密着性向上に寄与する微細な凹凸形状を形成する観点から、ナノ粒子の平均一次粒子径は９０ｎｍ以下が好ましく、７０ｎｍ以下がより好ましく、５０ｎｍ以下がさらに好ましい。
【００３４】
ナノ粒子の材料としては、無機酸化物が好ましい。無機酸化物としては、酸化シリコン、酸化チタン、酸化アルミニウム、酸化ジルコニウム、酸化チタン、酸化ニオブ、酸化亜鉛、酸化スズ、酸化セリウム、酸化マグネシウム等の金属または半金属の酸化物が挙げられる。無機酸化物は、複数種の（半）金属の複合酸化物でもよい。例示の無機酸化物の中でも、密着性向上効果が高いことから、酸化シリコンが好ましい。無機酸化物粒子の表面には、樹脂との密着性や親和性を高める目的で、アクリル基、エポキシ基等の官能基が導入されていてもよい。
【００３５】
密着性向上を目的としてナノ粒子を用いる場合、ハードコート層におけるナノ粒子の量は、バインダ成分の全量（バインダ樹脂とナノ粒子の合計）１００重量部に対して、５重量部以上が好ましく、１０重量部以上、２０重量部以上または３０重量部以上であってもよい。ナノ粒子の量が多いほど、ハードコート層上に形成される薄膜との密着性が向上する傾向がある。
【００３６】
（ハードコート層の形成）
透明フィルム基材１０上にハードコート組成物を塗布し、必要に応じて溶媒の除去および樹脂の硬化を行うことにより、ハードコート層１１が形成される。ハードコート組成物は、上記のバインダー成分およびマイクロ粒子を含み、必要に応じてバインダー成分を溶解または分散可能な溶媒を含む。バインダー樹脂成分が硬化性樹脂である場合は、組成物中に、適宜の重合開始剤が含まれていることが好ましい。例えば、バインダー樹脂成分が光硬化型樹脂である場合には、組成物中に光重合開始剤が含まれることが好ましい。
【００３７】
ハードコート組成物は、上記の他に、レベリング剤、粘度調整剤（チクソトロピー剤、増粘剤等）、帯電防止剤、ブロッキング防止剤、分散剤、分散安定剤、酸化防止剤、紫外線吸収剤、消泡剤、界面活性剤、滑剤等の添加剤を含んでいてもよい。
【００３８】
ハードコート組成物がチクソトロピー剤を含むことにより、マイクロ粒子の沈降が抑制され、ハードコート層の表面にマイクロ粒子による凹凸が均一に形成され、ギラツキ低減に適した表面形状が形成されやすくなる傾向がある。チクソトロピー剤としては、有機粘土、酸化ポリオレフィン、変性ウレア等が挙げられる。中でも、スメクタイト等の有機粘土が好ましい。チクソトロピー剤の配合は、バインダー１００重量部に対して、０．３〜５重量部程度が好ましい。
【００３９】
ハードコート組成物がレベリング剤を含むことにより、ハードコート層の表面形状が均一化される傾向がある。レベリング剤としては、例えば、フッ素系またはシリコーン系のレベリング剤があげられ、レベリング剤の配合量は、バインダー１００重量部に対して、０．０１〜３重量部程度が好ましい。
【００４０】
ハードコート組成物の塗布方法としては、バーコート法、ロールコート法、グラビアコート法、ロッドコート法、スロットオリフィスコート法、カーテンコート法、ファウンテンコート法、コンマコート法等の任意の適切な方法を採用し得る。塗布後の加熱温度は、ハードコート組成物の組成等に応じて、適切な温度に設定すればよく、例えば、５０℃〜１５０℃程度である。バインダー樹脂成分が光硬化性樹脂である場合は、紫外線等の活性エネルギー線を照射することにより光硬化が行われる。照射光の積算光量は、好ましくは１００〜５００ｍＪ／ｃｍ２程度である。
【００４１】
＜ハードコートフィルムおよびハードコート層の特性＞
ハードコート層１１の厚みは特に限定されないが、高い硬度を実現するためには、２μｍ以上が好ましく、４μｍ以上がより好ましく、５μｍ以上がさらに好ましい。一方、ハードコート層１１の厚みが過度に大きいと、ハードコート層の表面凹凸が適切に形成されない場合や、凝集破壊により膜強度が低下する場合がある。そのため、ハードコート層１１の厚みは２０μｍ以下が好ましく、１５μｍ以下がより好ましく、１２μｍ以下がさらに好ましい。また、ハードコート層１１の厚みは、マイクロ粒子の平均粒子径の１．２〜４倍の範囲であることが好ましく、１．５〜３倍の範囲内がより好ましい。マイクロ粒子の粒子径とハードコート層の厚みの比が上記範囲であることにより、ハードコート層表面に形成される凹凸形状が、防眩性に優れかつギラツキの少ない表示に適したものとなりやすい。
【００４２】
ハードコートフィルムのヘイズは、１％以上であり、１．５％以上が好ましく、２％以上がより好ましく、３％以上がさらに好ましい。ハードコートフィルムのヘイズは、２０％以下が好ましい。ハードコートフィルムのヘイズは、４〜２０％が好ましく、６〜１７％がより好ましく、７〜１５％がさらに好ましい。ハードコートフィルムのヘイズが上記範囲であれば、防眩性と画像の鮮明性とを両立できる。ヘイズが過度に小さい場合は防眩性に劣る場合があり、ヘイズが過度に大きい場合は画像の鮮明性が低下する傾向がある。前述のように、ハードコート層に含まれるバインダーとマイクロ粒子の屈折率差、およびマイクロ粒子の含有量を調整することにより、ハードコート層（およびハードコートフィルム）のヘイズを適切な範囲に制御することができる。
【００４３】
ハードコート層表面の算術平均粗さＲａは、０．０５〜０．２５μｍが好ましく、０．０６〜０．２μｍがより好ましく、０．０７〜０．１８μｍがさらに好ましい。ハードコート層表面の凹凸の平均間隔ＲＳｍは、６０〜２００μｍが好ましく、８０〜１８０μｍがより好ましく、１００〜１６０μｍがさらに好ましい。ハードコート層の表面形状パラメータおよび反射防止フィルム（防汚層）の表面形状パラメータは、触針式表面粗さ測定器により測定した長さ４ｍｍの断面曲線にカットオフ値０．８ｍｍの広域フィルタを通して得られた粗さ曲線から、ＪＩＳ  Ｂ０６０１：２００１に準拠して算出される。
【００４４】
マイクロ粒子の粒子径および含有量を調整することにより、算術平均粗さＲａおよび凹凸の平均間隔ＲＳｍを調整できる。マイクロ粒子の含有量が多いほど、マイクロ粒子によって形成される凸部の数が多くなるため、ＲＳｍが小さくなる傾向がある。また、マイクロ粒子の平均粒子径が大きく、マイクロ粒子の含有量が多いほど、Ｒａが大きくなる傾向がある。
【００４５】
ハードコート層表面の二乗平均平方根粗さＲｑは、０．０６〜０．３μｍが好ましく、０．０８〜０．２５μｍがより好ましく、０．０９〜０．２μｍがさらに好ましい。ハードコート層表面の最大断面高さＲｔは、０．３〜２．５μｍが好ましく、０．５〜２μｍがより好ましく、０．７〜１．７μｍがさらに好ましい。ハードコート層表面の最大高さＲｚは、０．１〜１．５μｍが好ましく、０．３〜１μｍがより好ましく、０．４〜０．９μｍがさらに好ましい。ハードコート層表面の十点平均高さＲｚＪＩＳは、０．０５〜１μｍが好ましく、０．１〜０．８μｍがより好ましく、０．２〜０．６μｍがさらに好ましい。
【００４６】
ハードコート層表面の平均傾斜角θａは、０．１°〜１．１°が好ましく、０．１５〜１．０°がより好ましく、０．２°〜０．８°がさらに好ましく、０．３°〜０．６°が特に好ましい。平均傾斜角θａは、基準長さＬ（＝４ｍｍ）の粗さ曲線において、隣り合う山の頂点と谷の最下点との差（高さｈ）の合計（ｈ１＋ｈ２＋ｈ３・・・＋ｈｎ）を基準長さＬで割った値Δａを用いて、下記式から算出される。
θａ＝ｔａｎ−１Δａ
【００４７】
＜ハードコート層の表面処理＞
ハードコート層１１上に反射防止層５を形成する前に、ハードコート層１１と反射防止層５との密着性のさらなる向上等を目的として、ハードコート層１１の表面処理が行われてもよい。表面処理としては、コロナ処理、プラズマ処理、フレーム処理、オゾン処理、プライマー処理、グロー処理、アルカリ処理、酸処理、カップリング剤による処理等の表面改質処理が挙げられる。表面処理として真空プラズマ処理を行ってもよい。真空プラズマ処理により、ハードコート層の表面粗さを調整することもできる。真空プラズマ処理（例えば、アルゴンプラズマ処理）の放電電力は、０．５〜１０ｋＷ程度であり、好ましくは１〜５ｋＷ程度である。
【００４８】
［反射防止フィルム］
ハードコートフィルム１のハードコート層１１上に、必要に応じてプライマー層３を介して、反射防止層５を形成し、反射防止層５上に防汚層７を形成することにより、反射防止フィルムが得られる。
【００４９】
＜プライマー層＞
ハードコートフィルム１のハードコート層１１と反射防止層５との間には、プライマー層３が設けられることが好ましい。プライマー層３の材料としては、シリコン、ニッケル、クロム、スズ、金、銀、白金、亜鉛、チタン、インジウム、タングステン、アルミニウム、ジルコニウム、パラジウム等の金属；これらの金属の合金；これらの金属の酸化物、フッ化物、硫化物または窒化物；等が挙げられる。中でも、プライマー層の材料は無機酸化物が好ましく、酸化シリコンまたは酸化インジウムが特に好ましい。プライマー層３を構成する無機酸化物は、酸化インジウム錫（ＩＴＯ）等の複合酸化物でもよい。
【００５０】
プライマー層３が酸化シリコンである場合、光透過率が高く、かつ有機層（ハードコート層）と無機層（反射防止層）の両方に対する接着力が高いことから、化学量論組成よりも酸素量の少ないものが特に好ましい。非化学量論組成のプライマー層３の酸素量は、化学量論組成の６０〜９９％程度が好ましい。例えば、プライマー層３として酸化シリコン（ＳｉＯｘ）層を形成する場合、ｘは１．２０〜１．９８が好ましい。
【００５１】
プライマー層３の厚みは、例えば、１〜２０ｎｍ程度であり、好ましくは３〜１５ｎｍである。プライマー層の厚みが上記範囲であれば、ハードコート層１１との密着性と高い光透過性とを両立できる。
【００５２】
＜反射防止層＞
反射防止層５は、屈折率の異なる２層以上の薄膜からなる。一般に、反射防止層は、入射光と反射光の逆転した位相が互いに打ち消し合うように、薄膜の光学膜厚（屈折率と厚みの積）が調整される。反射防止層を、屈折率の異なる２層以上の薄膜の多層積層体とすることにより、可視光の広帯域の波長範囲において、反射率を小さくできる。
【００５３】
反射防止層５を構成する薄膜の材料としては、金属の酸化物、窒化物、フッ化物等が挙げられる。反射防止層５は、好ましくは、高屈折率層と低屈折率層の交互積層体である。防汚層との界面での反射を低減するために、反射防止層５の最外層として設けられる薄膜５４は、低屈折率層であることが好ましい。
【００５４】
高屈折率層５１，５３は、例えば屈折率が１．９以上、好ましくは２．０以上である。高屈折率材料としては、酸化チタン、酸化ニオブ、酸化ジルコニウム、酸化タンタル、酸化亜鉛、酸化インジウム、酸化インジウムスズ（ＩＴＯ）、アンチモンドープ酸化スズ（ＡＴＯ）等が挙げられる。中でも、酸化チタンまたは酸化ニオブが好ましい。低屈折率層５２，５４は、例えば屈折率が１．６以下、好ましくは１．５以下である。低屈折率材料としては、酸化シリコン、窒化チタン、フッ化マグネシウム、フッ化バリウム、フッ化カルシウム、フッ化ハフニウム、フッ化ランタン等が挙げられる。中でも酸化シリコンが好ましい。特に、高屈折率層としての酸化ニオブ（Ｎｂ２Ｏ５）薄膜５１，３３と、低屈折率層としての酸化シリコン（ＳｉＯ２）薄膜５２，５４とを交互に積層することが好ましい。低屈折率層と高屈折率層に加えて、屈折率１．６〜１．９程度の中屈折率層が設けられてもよい。
【００５５】
高屈折率層および低屈折率層の膜厚は、それぞれ、５〜２００ｎｍ程度であり、１５〜１５０ｎｍ程度が好ましい。屈折率や積層構成等に応じて、可視光の反射率が小さくなるように、各層の膜厚を設計すればよい。例えば、高屈折率層と低屈折率層の積層構成としては、ハードコートフィルム側から、光学膜厚２５ｎｍ〜５５ｎｍ程度の高屈折率層５１、光学膜厚３５ｎｍ〜５５ｎｍ程度の低屈折率層５２、光学膜厚８０ｎｍ〜２４０ｎｍ程度の高屈折率層５３、および光学膜厚１２０ｎｍ〜１５０ｎｍ程度の低屈折率層５４の４層構成が挙げられる。
【００５６】
反射防止層５を構成する薄膜の成膜方法は特に限定されず、ウェットコーティング法、ドライコーティング法のいずれでもよい。膜厚が均一な薄膜を形成できることから、真空蒸着、ＣＶＤ，スパッタ、電子線蒸等のドライコーティング法が好ましい。中でも、膜厚の均一性に優れ、緻密で高強度な膜を形成しやすいことから、スパッタ法が好ましい。スパッタ法により反射防止層を形成することにより、反射防止層５上に設けられる防汚層７の耐摩耗性が向上する傾向がある。
【００５７】
スパッタ法では、ロールトゥーロール方式により、長尺のハードコートフィルムを一方向（長手方向）に搬送しながら、薄膜を連続成膜できる。スパッタ法では、アルゴン等の不活性ガス、および必要に応じて酸素等の反応性ガスをチャンバー内に導入しながら成膜が行われる。スパッタ法による酸化物層の成膜は、酸化物ターゲットを用いる方法、および金属ターゲットを用いた反応性スパッタのいずれでも実施できる。高レートで金属酸化物を成膜するためには、金属ターゲットを用いた反応性スパッタが好ましい。
【００５８】
＜防汚層＞
反射防止フィルムは、反射防止層５上に、最表面層（トップコート層）として防汚層７を備える。最表面に防汚層が設けられることにより、外部環境からの汚染（指紋、手垢、埃等）の影響を低減できるとともに、表面に付着した汚染物質の除去が容易となる。
【００５９】
反射防止層５の反射防止特性を維持するために、防汚層７は、反射防止層５の最表面の低屈折率層５４との屈折率差が小さいことが好ましい。防汚層７の屈折率は、１．６以下が好ましく、１．５５以下がより好ましい。
【００６０】
防汚層７の材料としては、フッ素含有化合物が好ましい。フッ素含有化合物は、防汚性を付与するとともに、低屈折率化にも寄与し得る。中でも、撥水性に優れ、高い防汚性を発揮できることから、パーフルオロポリエーテル骨格を含有するフッ素系ポリマーが好ましい。防汚性を高める観点から、剛直に並列可能な主鎖構造を有するパーフルオロポリエーテルが特に好ましい。パーフルオロポリエーテルの主鎖骨格の構造単位としては、炭素数１〜４の分枝を有していてもよいパーフルオロアルキレンオキシドが好ましく、例えば、パーフルオロメチレンオキシド、（−ＣＦ２Ｏ−）、パーフルオロエチレンオキシド（−ＣＦ２ＣＦ２Ｏ−）、パーフルオロプロピレンオキシド（−ＣＦ２ＣＦ２ＣＦ２Ｏ−）、パーフルオロイソプロピレンオキシド（−ＣＦ（ＣＦ３）ＣＦ２Ｏ−）等が挙げられる。
【００６１】
防汚層は、リバースコート法、ダイコート法、グラビアコート法等のウエット法や、ＣＶＤ法等のドライ法等により形成できる。防汚層の厚みは、通常、２〜５０ｎｍ程度である。防汚層７の厚みが大きいほど、防汚性が向上する傾向がある。また、防汚層７の厚みが大きいほど摩耗による防汚特定の低下が抑制される傾向がある。防汚層の厚みは、５ｎｍ以上が好ましく、７ｎｍ以上がより好ましく、８ｎｍ以上がさらに好ましい。一方、防汚層の表面に、ハードコート層表面の凹凸形状を反映した表面形状を形成し、防眩性を高める観点から、防汚層の厚みは３０ｎｍ以下が好ましく、２０ｎｍ以下がより好ましい。
【００６２】
汚染防止性および汚染物質の除去性を高めるために、防汚層７の水接触角は１００°以上が好ましく、１０２°以上がより好ましく、１０５°以上がさらに好ましい。水接触角が大きいほど撥水性が高く、汚染物質の付着防止効果や汚染物質除去性が向上する傾向がある。水接触角は、一般には１２５°以下である。
【００６３】
＜反射防止フィルムの特性＞
反射防止フィルムのヘイズは、１％以上であり、１．５％以上が好ましく、２％以上がより好ましく、３％以上がさらに好ましい。反射防止フィルムのヘイズは、２０％以下が好ましい。反射防止フィルムのヘイズは、４〜２０％が好ましく、６〜１７％がより好ましく、７〜１５％がさらに好ましい。反射防止フィルムのヘイズが過度に小さい場合は防眩性に劣る場合があり、ヘイズが過度に大きい場合は画像の鮮明性が低下する傾向がある。反射防止層５および防汚層７は厚みが小さくヘイズがほとんど生じないため、反射防止フィルムのヘイズは、ハードコートフィルムのヘイズに略等しい。
【００６４】
反射防止フィルムの表面、すなわち防汚層７の表面の算術平均粗さＲａは、０．０５〜０．２５μｍが好ましく、０．０６〜０．２μｍがより好ましく、０．０７〜０．１８μｍがさらに好ましい。防汚層表面の凹凸の平均間隔ＲＳｍは、６０〜２００μｍが好ましく、８０〜１８０μｍがより好ましく、１００〜１６０μｍがさらに好ましい。
【００６５】
ハードコート層１１上に形成される反射防止層５および防汚層７は厚みが小さいため、防汚層７の表面には、ハードコート層１１の表面形状を反映した凹凸形状が形成されやすい。そのため、ハードコート層１１のマイクロ粒子の粒子径や配合量等を調整して、ハードコート層の表面形状を調整することにより、上記のＲａおよびＲＳｍを有する反射防止フィルムが得られる。また、ハードコート層１１に真空プラズマ処理等の表面処理を施すことにより表面形状を調整してもよい。
【００６６】
反射防止フィルムの表面に凹凸が形成されていることにより、外光や像の映り込みが低減される。反射防止フィルムの算術平均粗さＲａが０．０５μｍ以上あることにより、防眩性が高められる傾向がある。一方、Ｒａが過度に大きい場合は、ギラツキ不良が生じる場合がある。また、μｍオーダーの粒子により形成される凸部が面内に均一に分散していることにより、凹凸の平均間隔ＲＳｍが小さくなり、画像表示パネルと反射防止フィルムの間のギャップが大きい場合でも、ギラツキ不良が抑制される傾向がある。
【００６７】
表面の算術平均粗さＲａおよび凹凸の平均間隔ＲＳｍが上記範囲である反射防止フィルムは、外光を均一に散乱可能であるため、優れた防眩性を有し、かつギラツキが抑制される傾向がある。また、ＲａおよびＲＳｍが上記範囲内である反射防止フィルムは、表面の凹凸により優れた滑り性を有し、耐擦傷性に優れるとともに、防汚層の耐摩耗性にも優れている。反射防止フィルムは、スチールウールを用いて２ｋｇ／ｃｍ２の荷重を加えながら１０往復の摺動試験を実施した際に、表面に傷が確認されないことが好ましい。
【００６８】
反射防止フィルム表面の平均傾斜角θａは、０．１°〜１．１°が好ましく、０．１５〜１．０°がより好ましく、０．２°〜０．８°がさらに好ましく、０．３°〜０．６°が特に好ましい。θａが過度に小さい場合は防眩性が不十分となる傾向があり、θａが過度に大きい場合は、ギラツキが強くなる傾向がある。
【００６９】
反射防止フィルム表面の二乗平均平方根粗さＲｑは、０．０６〜０．３μｍが好ましく、０．０８〜０．２５μｍがより好ましく、０．０９〜０．２μｍがさらに好ましい。反射防止フィルム表面の最大断面高さＲｔは、０．３〜２．５μｍが好ましく、０．５〜２μｍがより好ましく、０．７〜１．７μｍがさらに好ましい。反射防止フィルム表面の最大高さＲｚは、０．１〜１．５μｍが好ましく、０．３〜１μｍがより好ましく、０．４〜０．９μｍがさらに好ましい。反射防止フィルム表面の十点平均高さＲｚＪＩＳは、０．０５〜１μｍが好ましく、０．１〜０．８μｍがより好ましく、０．２〜０．６μｍがさらに好ましい。ＲａおよびＲＳｍが前述の範囲内であることに加えて、Ｒｑ，Ｒｔ，Ｒｚ，ＲｚＪＩＳが上記範囲内である場合に、反射防止フィルムが防眩性に優れ、かつ、画像表示パネルと反射防止フィルムの間のギャップが大きい場合でも、ギラツキが抑制される傾向がある。
【００７０】
［反射防止フィルムの使用形態］
反射防止フィルムは、例えば液晶ディスプレイや有機ＥＬディスプレイ等の画像表示装置の表面に配置して用いられる。例えば、液晶セルや有機ＥＬセル等の画像表示媒体を含むパネルの視認側表面に反射防止フィルムを配置することにより、外光の反射を低減して、画像表示装置の視認性を向上できる。
【００７１】
反射防止フィルムは、そのまま画像表示装置の表面に貼り合わせて用いてもよく、他のフィルムと積層してもよい。例えば、透明フィルム基材１０のハードコート層非形成面に偏光子を貼り合わせることにより、反射防止層付き偏光板を形成できる。
【００７２】
反射防止フィルムは、他の光学部材を介して画像表示セルの視認側表面に配置してもよい。例えば、図２に示す画像表示装置２０１では、画像表示セル２０の視認側表面に、透明粘着剤層９を介してカバーウインドウ８が配置されており、カバーウインドウ８の視認側表面に反射防止フィルム１０１が配置されている。カバーウインドウ８と反射防止フィルム１０１との間には、適宜の接着剤層や粘着剤層（不図示）が設けられていてもよい。画像表示セル２０とカバーウインドウ８との間には、偏光板等の光学フィルムや、タッチセンサー等が配置されていてもよい。
【００７３】
画像表示セル２０上にカバーウインドウ等の光学部材が配置されている場合、画像表示セル２０と反射防止フィルム１０１の間には、所定のギャップＤが存在する。このギャップＤが大きいほど、ハードコート層表面の凹凸に起因するギラツキが生じやすくなる傾向があり、特にギャップが１ｍｍを超えるとその傾向が顕著となる。
【００７４】
上記のように、所定の表面形状を有する反射防止フィルムを用いることにより、ギャップＤが大きい場合でもギラツキが抑制された良好な表示を実現できる。画像表示セル２０と反射防止フィルム１０１のギャップＤは、１．２ｍｍ以上、１．５ｍｍ以上または１．８ｍｍ以上であってもよい。ギャップＤは、５ｍｍ以下または４ｍｍ以下または３ｍｍ以下であってもよい。
【実施例】
【００７５】
以下に、実施例を挙げて本発明をより詳細に説明するが、本発明は以下の実施例に限定されるものではない。【００７６】
［実施例１］
＜防眩性ハードコートフィルムの作製＞
（ハードコート組成物の調製）
バインダー樹脂成分としてのペンタエリスリトールポリアクリレート（大阪有機化学製「ビスコート♯３００」）５０重量部およびウレタンアクリレートプレポリマー（日本合成化学製「紫光  ＵＶ−１７００ＴＬ」）５０重量部；スチレンとメタクリル酸メチル（ＭＭＡ）の共重合架橋粒子（積水化成品工業製「テクノポリマー  ＳＳＸ−５４０ＴＮＲ」；平均粒子径３．６μｍ、屈折率１．５６）４重量部；チクソトロピー剤として有機化スメクタイト（クニミネ工業製「スメクトンＳＡＮ」）１．５重量部；光重合開始剤（ＩＧＭ  Ｒｅｓｉｎｓ製「ＯＭＮＩＲＡＤ９０７」）３重量部；ならびにシリコーン系レベリング剤（共栄社化学製「ポリフロー  ＬＥ３０３」）０．１５重量部を混合し、トルエン／シクロペンタノン混合溶媒（重量比７０／３０）で希釈して、固形分濃度５０重量％のハードコート組成物を調製した。なお、上記の配合量は、固形分（不揮発分）の量であり、有機化スメクタイトは、トルエンで固形分が６重量％になるように希釈して用いた（以下の組成物についても同様）。バインダー（微粒子を含めずにバインダー樹脂成分のみを硬化したもの）の屈折率は１．５１であった。【００７７】
（ハードコート層の形成）
上記のハードコート組成物を、厚み４０μｍのトリアセチルセルロースフィルム（コニカミノルタオプト製「ＫＣ４ＵＡ」）に、コンマコーター（登録商標）を用いて塗布し、８０℃で１分間加熱した。その後、高圧水銀ランプにて積算光量３００ｍＪ／ｃｍ２の紫外線を照射し、塗布層を硬化させて、厚み８．０μｍの防眩性ハードコート層を形成した。【００７８】
＜プライマー層および反射防止層の形成＞
ハードコート層が形成されたトリアセチルセルロースフィルムを、ロールトゥーロール方式のスパッタ成膜装置に導入し、フィルムを走行させながら、防眩性ハードコート層形成面にボンバード処理（Ａｒガスによるプラズマ処理）を行った後、プライマー層として、３．５ｎｍのＳｉＯｘ層（ｘ＜２）を成膜し、その上に、１０．１ｎｍのＮｂ２Ｏ５層、２７．５ｎｍのＳｉＯ２層、１０５．０ｎｍのＮｂ２Ｏ５層および８３．５ｎｍのＳｉＯ２層を順に成膜した。プライマー層およびＳｉＯ２層の成膜にはＳｉターゲット、Ｎｂ２Ｏ５層の成膜にはＮｂターゲットを用いた。ＳｉＯ２層の成膜およびＮｂ２Ｏ５層の成膜においては、プラズマ発光モニタリング（ＰＥＭ）制御により、成膜モードが遷移領域を維持するように導入する酸素量を調整した。【００７９】
＜防汚層の形成＞
主鎖骨格に−（Ｏ−ＣＦ（ＣＦ３）−ＣＦ２）−を含むパーフルオロエーテルを含有するフッ素系樹脂溶液を、反射防止層の表面ＳｉＯ２層上に、乾燥後厚みが１０ｎｍとなるように塗布し、トップコート層としての防汚層を形成した。【００８０】
［実施例２〜５］
ハードコート組成物の調製において、粒子の配合量を表１に示す様に変更したこと以外は、実施例１と同様にして、防眩性ハードコートフィルムの作製、プライマー層および反射防止層の形成ならびに防汚層の形成を行った。【００８１】
［実施例６］
ナノシリカ粒子と硬化性アクリル樹脂のコンポジットの溶液（ナノシリカ粒子の平均一次粒子径：４０ｎｍ、固形分中のナノシリカ粒子の比率：６０重量％、固形分：５０重量％）６７重量部と多官能アクリレート３３重量部を混合した。この溶液の固形分１００重量部に、架橋ポリメタクリル酸メチル（ＰＭＭＡ）粒子（積水化成品工業製「テクノポリマー  ＳＳＸ−１０３」；平均粒子径３．０μｍ、屈折率１．５０）２．０重量部；チクソトロピー剤として有機化スメクタイト（クニミネ工業製「スメクトンＳＡＮ」）１．５重量部；光重合開始剤（ＩＧＭ  Ｒｅｓｉｎｓ製「ＯＭＮＩＲＡＤ９０７」）３重量部；ならびにシリコーン系レベリング剤（共栄社化学製「ポリフロー  ＬＥ３０３」）０．１５重量部を混合し、トルエン／シクロペンタノン混合溶媒（重量比７０／３０）で希釈して、固形分濃度４５重量％のハードコート組成物を調製した。バインダー（ＰＭＭＡ粒子を含めずにアクリル樹脂とナノシリカ粒子のハイブリッド材料を硬化したもの）の屈折率は１．４８であった。【００８２】
上記のハードコート組成物を用いたこと以外は実施例１と同様にして、防眩性ハードコートフィルムの作製、プライマー層および反射防止層の形成ならびに防汚層の形成を行った。【００８３】
［実施例７］
ハードコート組成物の調製において、ＰＭＭＡ粒子の配合量を１．０重量部に変更したこと以外は、実施例６と同様にして、防眩性ハードコートフィルムの作製、プライマー層および反射防止層の形成ならびに防汚層の形成を行った【００８４】
［実施例８］
ハードコート組成物の調製において、ＰＭＭＡ粒子の配合量を８．０重量部に変更し、ＰＭＭＡ粒子に加えてシリコーン粒子（モメンティブ・パフォーマンス・マテリアルズ・ジャパン製「トスパール１３０」；平均粒子径３μｍ、屈折率１．４３）１．４重量部を配合した。それ以外は、実施例６と同様にして、防眩性ハードコートフィルムの作製、プライマー層および反射防止層の形成ならびに防汚層の形成を行った【００８５】
［比較例１］
バインダー樹脂としてのペンタエリスリトールトリアクリレート（大阪有機化学製「ビスコート♯３００」）５０重量部およびウレタンアクリレートプレポリマー（新中村化学工業製「ＵＡ−５３Ｈ−８０ＢＫ」）５０重量部；シリコーン粒子（モメンティブ・パフォーマンス・マテリアルズ・ジャパン製「トスパール１３０」；平均粒子径３μｍ、屈折率１．４３）３．５重量部；有機化スメクタイト（クニミネ工業製「スメクトンＳＡＮ」）２重量部；光重合開始剤（ＩＧＭ  Ｒｅｓｉｎｓ製「ＯＭＮＩＲＡＤ９０７」）３重量部；ならびにシリコーン系レベリング剤（ＤＩＣ製「グランディック  ＰＣ４１００」）０．２重量部を混合し、トルエン／シクロペンタノン混合溶媒（重量比７０／３０）で希釈して、固形分濃度３３重量％のハードコート組成物を調製した。バインダーの屈折率は１．５２であった。【００８６】
上記のハードコート組成物を用い、ハードコート層の厚みを６．３μｍに変更したこと以外は実施例１と同様にして、防眩性ハードコートフィルムを作製し、ハードコート層上に、反射防止層および防眩層を形成した。【００８７】
［比較例２］
バインダー樹脂としてウレタンアクリレートを主成分とする紫外線硬化型樹脂組成物（ＤＩＣ製「ユニディック１７−８０６」）１００重量部；架橋スチレン粒子（綜研化学製「ＳＸ−３５０Ｈ」；平均粒子径３．５μｍ、屈折率１．５９）１４重量部；チクソトロピー剤として有機化スメクタイト（クニミネ工業製「スメクトンＳＡＮ」）２．５重量部；光重合開始剤（ＩＧＭ  Ｒｅｓｉｎｓ製「ＯＭＮＩＲＡＤ９０７」）５重量部；およびフッ素系レベリング剤（ＤＩＣ製「メガファック  Ｆ４０Ｎ」）１重量部を混合し、トルエン／シクロペンタノン混合溶媒（重量比７０／３０）で希釈して、固形分濃度４０重量％のハードコート組成物を調製した。バインダーの屈折率は１．５１であった。【００８８】
上記のハードコート組成物を用い、加熱処理を１２０℃で５分、ハードコート層の厚みを７．０μｍに変更したこと以外は実施例１と同様にして、防眩性ハードコートフィルムを作製し、ハードコート層上に、反射防止層および防眩層を形成した。【００８９】
［比較例３］
バインダー樹脂としてウレタンアクリレートを主成分とする紫外線硬化型樹脂組成物（ＤＩＣ製「ユニディック１７−８０６」）１００重量部；光重合開始剤（ＩＧＭ  Ｒｅｓｉｎｓ製「ＯＭＮＩＲＡＤ９０７」）を５重量部；およびシリコーン系レベリング剤（ＤＩＣ製、「ＧＲＡＮＤＩＣ  ＰＣ４１００」）０．０１重量部を混合し、プロピレングリコールモノメチルエーテル／シクロペンタノン混合溶媒（重量比５５／４５）で希釈して、固形分濃度３６重量％のハードコート組成物を調製した。【００９０】
上記のハードコート組成物を用い、加熱処理を９０℃で１分、ハードコート層の厚みを７．８μｍに変更したこと以外は実施例１と同様にして、ハードコートフィルムを作製し、ハードコート層上に、反射防止層および防眩層を形成した。【００９１】
［評価］
＜ヘイズ＞
ヘイズメーター（村上色彩技術研究所製「ＨＭ−１５０」）により、防汚層形成面側から光を照射して、ＪＩＳ  Ｋ７１３６に準じて反射防止フィルムのヘイズを測定した。【００９２】
＜防眩層の表面形状＞
反射防止フィルムのトリアセチルセルロースフィルム側の面（反射防止層非形成面）に、厚み２０μｍのアクリル系粘着剤を介して、厚み１．３ｍｍのスライドガラス（ＭＡＴＳＵＮＡＭＩ製「ＭＩＣＲＯ  ＳＬＩＤＥ  ＧＬＡＳＳ」４５×５０ｍｍ）を貼り合わせて測定用試料を作製した。先端部（ダイヤモンド）の曲率半径Ｒ＝２μｍの測定針を有する触針式表面粗さ測定器（小阪研究所製  高精度微細形状測定器「サーフコーダＥＴ４０００」）を用い、走査速度０．１ｍｍ／秒、測定長４ｍｍの条件で、上記試料の防眩層の表面形状を一定方向に測定し、測定装置に付属のプログラムにより、ＪＩＳ  Ｂ０６０１：２００１に準拠して、カットオフ値０．８ｍｍの広域フィルタを通して得られた粗さ曲線から、算術平均粗さＲａ、粗さ曲線要素の平均長さＲＳｍ、最大断面高さＲｔ、十点平均高さＲｚＪＩＳ、二乗平均平方根粗さＲｑ、最大高さＲｚおよび平均系射角θａを求めた。【００９３】
＜ギラツキの評価＞
反射防止フィルムのトリアセチルセルロースフィルム側の面に、厚み２０μｍのアクリル系粘着剤を介して厚み１．５ｍｍの無アルカリガラスを貼り合わせ、反射防止層形成面が上側となるようにアップル製のｉＰｈｏｎｅ７（画面サイズ４．７インチ、３２６ｐｐｉの液晶パネル上に、厚み約２００μｍの透明粘着シートを介して、厚み約１ｍｍのカバーガラスが貼り合わせられている）の上に載置した。画面（液晶パネル）と反射防止フィルムとの間のギャップは２．７ｍｍであった。輝度を最大として緑画面を表示させ、試料から３０ｃｍ離れた真上から画面を視認した。画面がギラついて視認されたものを×、ギラツキがみられなかったものを〇とした。【００９４】
＜水接触角＞
防汚層表面に、約５．０μＬの水を滴下した。滴下から２秒後に、接触角測定装置（協和界面化学社製「ＤＭｏ-７０１」）を用いて、防汚層の表面と液滴端部の接線との角度（水接触角の初期値）を測定した。水滴を拭き取った後、加工フェルト（梶フエルト工業製、Φ１０×Ｌ１０、密度０．５２ｇ／ｃｍ３）を使用し、荷重２００ｇ、５ｍ／分の速度で３０００回摺動した後、水接触角（摺動後の水接触角）を測定した。【００９５】
＜耐擦傷性＞
擦傷試験機の直径１１ｍｍの円柱の平面にスチールウール（日本スチールウール製「Ｂｏｎｓｔａｒ  ＃００００）を取り付け、荷重１．０ｋｇ、２．０ｋｇ、および３．０ｋｇにて上記サンプル表面を、１００ｍｍ／秒の速度で１０往復した後に、サンプル表面に入った傷を目視にて観察し、以下の指標により判定した。
〇：荷重３ｋｇの試験で傷がみられなかったもの     
△：荷重３ｋｇの試験では傷がみられたが、荷重２ｋｇの試験では傷がみられなかったもの
×：荷重２ｋｇの試験で傷がみられたもの【００９６】
上記の実施例および比較例における反射防止フィルムの構成（ハードコート層のバインダーおよびマイクロ粒子の組成）および反射防止フィルムの評価結果を表１に示す。【００９７】
【表１】
2021106797.tif 000003
【００９８】
微粒子を含まないハードコート層上に、プライマー層、反射防止層および防汚層を設けた比較例３では、反射防止フィルムの耐擦傷性が劣っていた。また、摺動試験後に水接触角が大幅に低下していた。これは防汚層の耐摩耗性が低く、摺動試験後に防汚層が摩耗したためであると考えられる。【００９９】
スチレン微粒子を含むハードコート層を形成した比較例２では、バインダーと微粒子の屈折率差が大きいためにヘイズが高く、画像のクリア感が劣っていた。比較例１では、比較例２に比べるとヘイズが低下していたが、画像がギラついて視認され、視認性に劣っていた。なお、比較例１の反射防止フィルムを、画面と反射防止フィルムとの間のギャップが０．５ｍｍとなるように配置してギラツキを評価したところ、ギラツキはみられず、視認性は良好であった。【０１００】
凹凸の間隔ＲＳｍが大きい比較例１の反射防止フィルムは、画像表示セルに近接して配置される場合はギラツキが生じ難いものの、画像表示セルとのギャップが大きい場合は、粒子による凹凸が形成されている領域と凹凸が形成されていない領域との輝度の差が強調されやすく、ギラツキが生じたと考えられる。また、比較例１では、初期の水接触角が１１２°であったものが摺動試験後に１０４°まで低下しており、耐摩耗性が十分ではなかった。【０１０１】
実施例１〜８の反射防止フィルムは、いずれもギラツキがなく良好な視認性を示し、かつ摺動試験後も高い水接触角度を示していた。以上の結果から、ハードコート層に含まれるマイクロ粒子の種類および含有量を調整して、ヘイズおよび表面形状パラメータを所定範囲とすることにより、低ヘイズであり、かつ画像表示セル上に大きなギャップを隔てて配置された場合でもギラツキ不良が生じ難く、防汚層の耐摩耗性に優れる反射防止フィルムが得られることが分かる。
【符号の説明】
【０１０２】
１          ハードコートフィルム
１０        透明フィルム基材
１１        ハードコート層
３          プライマー層
５          反射防止層
５１，５３  高屈折率層
５２，５４  低屈折率層
７          防汚層
１０１      反射防止フィルム
２０        画像表示セル
８          カバーウインドウ
９          粘着シート
２０１      画像表示装置
【図１】
2021106797.tif 000004
【図２】
2021106797.tif 000005
【手続補正書】
【提出日】令和3年6月3日(2021.6.3)
【手続補正１】
【補正対象書類名】特許請求の範囲
【補正対象項目名】全文
【補正方法】変更
【補正の内容】
【特許請求の範囲】
【請求項１】
透明フィルム基材の一主面上にハードコート層を備えるハードコートフィルムと、
前記ハードコート層上に、順に設けられた反射防止層および防汚層とを備え、
前記反射防止層は、屈折率の異なる複数の薄膜の積層体からなり、
前記ハードコート層は、バインダー、粒子径が１〜８μｍの微粒子、および平均一次粒子径が１００ｎｍ以下のナノ粒子を含み、
ヘイズが１〜１８％であり、
前記防汚層表面の算術平均粗さＲａが０．０５〜０．２５μｍであり、凹凸の平均間隔ＲＳｍが６０〜２００μｍである、反射防止フィルム。
【請求項２】
前記ハードコート層中の前記粒子径が１〜８μｍの微粒子の量が、前記バインダー１００重量部に対して、０．５〜１０重量部である、請求項１に記載の反射防止フィルム。
【請求項３】
前記バインダーの屈折率と、前記粒子径が１〜８μｍの微粒子の屈折率との差が、０．０１〜０．０６である、請求項１または２に記載の反射防止フィルム。
【請求項４】
前記反射防止層がスパッタ膜である、請求項１〜３のいずれか１項に記載の反射防止フィルム。
【請求項５】
前記ハードコート層と前記反射防止層との間に、無機酸化物からなるプライマー層を備える、請求項１〜４のいずれか１項に記載の反射防止フィルム。
【請求項６】
画像表示媒体の視認側表面に、請求項１〜５のいずれか１項に記載の反射防止フィルムが配置されている、画像表示装置。
【請求項７】
画像表示媒体の視認側表面に、１ｍｍ以上の間隔を隔てて前記反射防止フィルムが配置されている、請求項６に記載の画像表示装置。
【手続補正書】
【提出日】令和3年10月19日(2021.10.19)
【手続補正１】
【補正対象書類名】明細書
【補正対象項目名】００３５
【補正方法】変更
【補正の内容】
【００３５】
密着性向上を目的としてナノ粒子を用いる場合、ハードコート層におけるナノ粒子の量は、バインダー成分の全量（バインダー樹脂とナノ粒子の合計）１００重量部に対して、５重量部以上が好ましく、１０重量部以上、２０重量部以上または３０重量部以上であってもよい。ナノ粒子の量が多いほど、ハードコート層上に形成される薄膜との密着性が向上する傾向がある。
【手続補正２】
【補正対象書類名】特許請求の範囲
【補正対象項目名】請求項１
【補正方法】変更
【補正の内容】
【請求項１】
透明フィルム基材の一主面上にハードコート層を備えるハードコートフィルムと、
前記ハードコート層上に、順に設けられた反射防止層および防汚層とを備え、
前記反射防止層は、屈折率の異なる複数の薄膜の積層体からなり、
前記ハードコート層は、バインダー成分としてのバインダー樹脂および平均一次粒子径が１００ｎｍ以下のナノ粒子、ならびに粒子径が１〜８μｍの微粒子を含み、
前記ハードコート層における前記ナノ粒子の量は、前記バインダー成分の全量１００重量部に対して、２０重量部以上であり、
ヘイズが１〜１８％であり、
前記防汚層表面の算術平均粗さＲａが０．０５〜０．２５μｍであり、凹凸の平均間隔ＲＳｍが６０〜２００μｍである、反射防止フィルム。
【手続補正３】
【補正対象書類名】特許請求の範囲
【補正対象項目名】請求項３
【補正方法】変更
【補正の内容】
【請求項３】
前記バインダー成分の屈折率と、前記粒子径が１〜８μｍの微粒子の屈折率との差が、０．０１〜０．０６である、請求項１または２に記載の反射防止フィルム。
【国際調査報告】
2021106797.tif 000006
2021106797.tif 000007
2021106797.tif 000008
2021106797.tif 000009